(57)【要約】【目的】  主電源投入時の電源部の負荷を軽減する。【構成】  主電源がオンにされると、その主電源のオンに連動して電源部５からプリンタコントローラ１、エンジン制御部２、プロッタエンジン３への電力供給を開始し、プリンタコントローラ１上のプログラムが起動すると、プリンタコントローラ１はＨＤＤ電源制御部６を制御し、ＨＤＤ電源制御部６は主電源投入後の所定のタイミングで電源部５からＨＤＤ４への電力供給を開始し、ＨＤＤ４を使用可能にし、さらにプロッタエンジン３による印刷を可能にする。【選択図】        図１
2007006098.tif 000002
【特許請求の範囲】
【請求項１】
画像データを記憶するハードディスク装置を備えた画像処理装置において、主電源投入後の所定のタイミングで前記ハードディスク装置への電力の供給を開始する電力供給開始制御手段を設けたことを特徴とする画像処理装置。
【請求項２】
画像データを記憶するハードディスク装置を備えた画像処理装置において、主電源投入後、前記ハードディスク装置を使用する処理の指示があったとき、前記ハードディスク装置への電力の供給を開始する電力供給開始制御手段を設けたことを特徴とする画像処理装置。
【請求項３】
画像データを記憶するハードディスク装置を複数台備えた画像処理装置において、所定の処理性能を満たすために前記各ハードディスク装置の中から必要な台数のハードディスク装置に対してそれぞれ主電源投入後の所定のタイミングで電力の供給を開始する電力供給開始制御手段を設けたことを特徴とする画像処理装置。
【発明の詳細な説明】
【技術分野】
【０００１】
この発明は、画像データの蓄積用にハードディスク装置を備えたファクシミリ装置、複写機、複合機を含む画像処理装置に関する。
【背景技術】
【０００２】
近年、ファクシミリ装置、複写機、それらの複合機を含む画像処理装置では、コピー、プリントの生産性の向上、画像データの逐次保存と取り出しのために記憶装置を備えることが一般化しつつある。その記憶装置としてはハードディスク装置（「ＨＤＤ」と略称する）が最も多く利用されており、複数台備えて使われている例もある（例えば、特許文献１参照）。
従来、上述のような画像処理装置では、主電源の投入と同時にＨＤＤへの電源からの電力供給も開始し、省エネルギーモードになる場合にＨＤＤへの電力供給を断する制御をしていた。
【特許文献１】特開２００２−２８１１９７号公報
【発明の開示】
【発明が解決しようとする課題】
【０００３】
しかしながら、従来の画像処理装置では、同時に複数の機能部への電力供給を開始するので、電源部に負荷がかかるという問題があった。また、ＨＤＤを使用していないときにも電力を供給しているので電力を浪費してしまうという問題もあった。
この発明は上記の点に鑑みてなされたものであり、主電源投入時の電源部の負荷を軽減することを目的とする。また、不要な電力の消費を防止することも目的とする。
【課題を解決するための手段】
【０００４】
この発明は上記の目的を達成するため、次の画像処理装置を提供する。
（１）画像データを記憶するハードディスク装置を備えた画像処理装置において、主電源投入後の所定のタイミングで上記ハードディスク装置への電力の供給を開始する電力供給開始制御手段を設けた画像処理装置。
（２）画像データを記憶するハードディスク装置を備えた画像処理装置において、主電源投入後、上記ハードディスク装置を使用する処理の指示があったとき、上記ハードディスク装置への電力の供給を開始する電力供給開始制御手段を設けた画像処理装置。
（３）画像データを記憶するハードディスク装置を複数台備えた画像処理装置において、所定の処理性能を満たすために上記各ハードディスク装置の中から必要な台数のハードディスク装置に対してそれぞれ主電源投入後の所定のタイミングで電力の供給を開始する電力供給開始制御手段を設けた画像処理装置。
【発明の効果】
【０００５】
この発明による画像処理装置は、主電源投入時の電源部の負荷を軽減することができる。また、不要な電力の消費を防止することができる。
【発明を実施するための最良の形態】
【０００６】
以下、この発明を実施するための最良の形態を図面に基づいて具体的に説明する。
〔実施例１〕
図１は、この発明の実施例１の画像処理装置の機能構成を示すブロック図である。
図中実線は制御ラインを示し、破線は電力供給ラインを示す。
この画像処理装置は、ファクシミリ装置、複写機、複合機を含むデジタル画像処理装置であり、この発明に係る主要部として、プリンタコントローラ１、エンジン制御部２、プロッタエンジン３、ハードディスク装置（ＨＤＤ）４、電源部５、ハードディスク装置電源制御部（ＨＤＤ電源制御部）６からなる。
プリンタコントローラ１はＣＰＵ，ＲＯＭ及びＲＡＭからなるマイクロコンピュータによって実現され、ホストコンピュータとのデータのやり取りを制御するホストインタフェース（ホストＩ／Ｆ）をもち、そのホストＩ／Ｆを介してホストコンピュータから入力した印刷対象の画像データを展開して格納する。また、大量の画像データの印刷、画像データに電子ソートを施した印刷を含む処理時にはＨＤＤ４に画像データを格納する。
【０００７】
エンジン制御部２は、プリンタコントローラ１からの画像データをプロッタエンジン３に出力し、モータ、レーザ制御を含む全体のシステム制御を行う。
プロッタエンジン３は、エンジン制御部２から受け取った画像データに基づいて記録紙を含む媒体に画像を形成して印刷する。
ＨＤＤ４は、大量の画像データ、電子ソートを施す画像データを蓄積をするために使用する記憶装置である。
電源部５は、上記プリンタコントローラ１、エンジン制御部２、プロッタエンジン３、ＨＤＤ４を含む画像処理装置全体の機能部にそれぞれ電力を供給する。
ＨＤＤ電源制御部６は、プリンタコントローラ１によって制御され、ＨＤＤ４を必要とする場合のみ、ＨＤＤ４へ電源部５からの電力の供給の開始及び停止の制御を行う。
すなわち、上記プリンタコントローラ１と上記ＨＤＤ電源制御部６が、主電源投入後の所定のタイミングでハードディスク装置への電力の供給を開始する電力供給開始制御手段の機能を果たす。
【０００８】
次に、この実施例１の画像処理装置における主電源投入時の処理について説明する。
図２は、実施例１の画像処理装置における主電源投入時の処理を示すフローチャート図である。
この処理は、ステップ（図中「Ｓ」で示す）１で主電源がオン（ＯＮ）にされると（主電源が投入されると）、その主電源のＯＮに連動して電源部からプリンタコントローラ、エンジン制御部、プロッタエンジンへの電力供給を開始し、ステップ２でプリンタコントローラ上のプログラムが起動すると、ステップ３でプリンタコントローラはＨＤＤ電源制御部を制御し、ＨＤＤ電源制御部は主電源投入後の所定のタイミングで電源部からＨＤＤへの電力供給を開始し、ステップ４でＨＤＤを使用可能にし、さらに印刷を可能にする。ＨＤＤの電力供給が開始されてから使用可能になるまでの時間は、プロッタエンジンに電力供給が開始されてから使用可能になるまでの時間より短いので、印刷可能になる前にはＨＤＤが使用可能になる。
【０００９】
そこで、上記所定のタイミングは、プロッタエンジンへ電力供給が開始されてから使用可能になるまでの時間に基づいて予め決定した時間を記憶し、プリンタコントローラがそのタイミングでＨＤＤ電源制御部へＨＤＤへの電力供給を開始させる指示を送るようにするとよい。
このようにして、主電源の投入時にプリンタコントローラ１、エンジン制御部２、プロッタエンジン３と共に、ＨＤＤ４への電力供給を同時に行わないですむので、主電源投入時の電源部の負荷を軽減することができ、電源部における突入電流も小さくすることが可能になる。
【００１０】
〔実施例２〕
実施例２の画像処理装置の構成は、図１に示した実施例１の画像処理装置の構成と同じであるが、その機能が若干異なる。
実施例２の画像処理装置では、主電源投入後、プリンタコントローラ１は、ホストコンピュータからＨＤＤ４を使用する処理の指示があったとき、ＨＤＤ電源制御部６に指示して電源部５からＨＤＤ４への電力の供給を開始する。
すなわち、上記プリンタコントローラ１と上記ＨＤＤ電源制御部６が、主電源投入後、ハードディスク装置を使用する処理の指示があったとき、ハードディスク装置への電力の供給を開始する電力供給開始制御手段の機能を果たす。
【００１１】
次に、この実施例２の画像処理装置における主電源投入時の処理について説明する。
図３は、実施例２の画像処理装置における主電源投入時の処理を示すフローチャート図である。
この処理は、ステップ（図中「Ｓ」で示す）１１で主電源がオン（ＯＮ）にされると（主電源が投入されると）、その主電源のＯＮに連動して電源部からプリンタコントローラ、エンジン制御部、プロッタエンジンへの電力供給を開始し、ステップ１２でプリンタコントローラ上のプログラムが起動すると、ステップ１３で印刷が可能になり、ステップ１４でＨＤＤが必要か否かを判断する。
【００１２】
ここで、プリンタコントローラは、ホストコンピュータからの印刷要求があった場合、その印刷要求の種類を判別し、その印刷要求の種類が大量の画像データの印刷、画像データに電子ソートを施した印刷を含むＨＤＤを必要とする印刷であると判別したら、ステップ１６でプリンタコントローラはＨＤＤ電源制御部を制御し、ＨＤＤ電源制御部は電源部からＨＤＤへの電力供給を開始し、ステップ１５で上記判別した印刷要求の種類の印刷処理を実行する。上記ＨＤＤを必要とする印刷要求か否かの判別は、例えば、予めＨＤＤを必要とする印刷要求の一覧情報を記憶し、ホストコンピュータからの印刷要求がその一覧情報に含まれているか否かを判断することによって行うとよい。
【００１３】
一方、ステップ１４の判断で通常の印刷要求を含むＨＤＤを必要としない印刷であると判別したら、ステップ１５でＨＤＤを必要としない印刷処理を実行する。
このようにして、主電源投入時にはＨＤＤへの給電はせず、主電源投入にホストコンピュータからの印刷要求にＨＤＤが必要になったときにＨＤＤへの給電を開始するので、ＨＤＤを必要としないときのＨＤＤの消費電力を節約することができ、システムとして消費電流を少なくすることが可能になる。
【００１４】
〔実施例３〕
図４は、この発明の実施例３の画像処理装置の機能構成を示すブロック図である。
図中実線は制御ラインを示し、破線は電力供給ラインを示す。
この画像処理装置は、ファクシミリ装置、複写機、複合機を含むデジタル画像処理装置であり、この発明に係る主要部として、プリンタコントローラ１１、エンジン制御部１２、プロッタエンジン１３、複数台のハードディスク装置（ＨＤＤ）１４−１〜１４−ｎ（ｎは２以上の整数）、電源部１５、ハードディスク装置電源制御部（ＨＤＤ電源制御部）１６からなる。
この画像処理装置は、プロッタエンジン１３の性能を満たすためには１台のＨＤＤの性能が足りないので、複数台のＨＤＤ１４−１〜１４−ｎを搭載し、印刷要求の種類、動作条件に応じて所定の処理性能を満たすために必要な台数のＨＤＤを用いて画像データの印刷処理を実行する。
【００１５】
プリンタコントローラ１１はＣＰＵ，ＲＯＭ及びＲＡＭからなるマイクロコンピュータによって実現され、ホストコンピュータとのデータのやり取りを制御するホストインタフェース（ホストＩ／Ｆ）をもち、そのホストＩ／Ｆを介してホストコンピュータから入力した印刷対象の画像データを展開して格納する。また、プリンタ、スキャナの同時動作をしない場合、印刷画像のサイズにより画像データ量が少ない場合、印刷する画像データを高圧縮してデータ量を少なくできる場合には、ＨＤＤ電源制御部１６を制御してＨＤＤ１４−１〜１４−ｎのうち、プロッタエンジン１３の処理性能を満たすのに必要な台数だけに電力の供給を開始して使用可能にする。
【００１６】
なお、例えば、プリンタ、スキャナの同時動作をする場合、印刷画像のサイズにより画像データ量が多い場合、印刷する画像データをそのまま複数台のＨＤＤに格納する場合には、プロッタエンジン１３の性能を最大限発揮させるために複数台のＨＤＤ１４−１〜１４−ｎからより多くの台数、あるいは全てを同時に使用可能に制御する処理もできる。
エンジン制御部１２は、プリンタコントローラ１１からの画像データをプロッタエンジン１３に出力し、モータ、レーザ制御を含む全体のシステム制御を行う。
プロッタエンジン１３は、エンジン制御部１２から受け取った画像データに基づいて記録紙を含む媒体に画像を形成して印刷する。
ＨＤＤ１４−１〜１４−ｎは、それぞれ画像データを蓄積するための記憶装置であり、印刷要求の種類、動作条件に応じて必要な台数が使用される。
【００１７】
電源部１５は、上記プリンタコントローラ１１、エンジン制御部１２、プロッタエンジン１３、ＨＤＤ１４−１〜１４−ｎを含む画像処理装置全体の機能部にそれぞれ電力を供給する。
ＨＤＤ電源制御部１６は、プリンタコントローラ１１によって制御され、ＨＤＤ１４−１〜１４−ｎの内の必要な台数のＨＤＤへ電源部１５からの電力の供給を開始する制御と、それらの停止の制御を行う。
すなわち、上記プリンタコントローラ１１と上記ＨＤＤ電源制御部１６が、所定の処理性能を満たすために複数台のハードディスク装置の中から必要な台数のハードディスク装置に対してそれぞれ主電源投入後の所定のタイミングで電力の供給を開始する電力供給開始制御手段の機能を果たす。
【００１８】
次に、この実施例３の画像処理装置における主電源投入時の処理について説明する。
図５は、実施例３の画像処理装置における主電源投入時の処理を示すフローチャート図である。
この処理は、ステップ（図中「Ｓ」で示す）２１で主電源がオン（ＯＮ）にされると（主電源が投入されると）、その主電源のＯＮに連動して電源部からプリンタコントローラ、エンジン制御部、プロッタエンジンへの電力供給を開始し、ステップ２２でプリンタコントローラ上のプログラムが起動すると、ステップ２３で印刷が可能になり、ステップ２４でＨＤＤが必要な処理要求が有ったか否かを判断する。
【００１９】
ここで、プリンタコントローラは、ホストコンピュータからＨＤＤが必要な処理要求が有ったと判断したら、ステップ２６で上記処理要求の種類に応じて１台のＨＤＤが必要かｎ台のＨＤＤが必要かを判断する。上記処理要求の種類としては、プリンタとスキャナの同時動作をしない処理要求、印刷画像のサイズにより画像データ量が少ない印刷処理要求、印刷する画像データを高圧縮してデータ量を少なくできる印刷処理要求を含む各種の処理がある。上記処理要求の種類に応じた必要なＨＤＤの台数の判断は、例えば、予め処理要求の種類毎に必要なＨＤＤの台数を示す一覧情報を記憶し、ホストコンピュータからの処理要求の種類を上記一覧情報を検索し、その処理要求の種類に対応する必要なＨＤＤの台数を得るようにするとよい。
【００２０】
ステップ２６の判断で１台のＨＤＤが必要であると判断したら、ステップ２７で複数台のＨＤＤのうちの予め決められた１台のＨＤＤ（あるいは任意の１台のＨＤＤ）への電力の供給を開始し、ステップ２５で上記１台のＨＤＤを用いて印刷要求を実行する。
また、ステップ２６の判断でｎ台のＨＤＤが必要であると判断したら、ステップ２８で予め決められたｎ台のＨＤＤ（あるいは任意のｎ台のＨＤＤ）への電力の供給を開始し、ステップ２５で上記ｎ台のＨＤＤを用いて印刷要求を実行する。
一方、ステップ２４の判断でＨＤＤを必要としない処理要求であると判別したら、ステップ２５でＨＤＤを必要としない印刷処理を実行する。
【００２１】
このようにして、プロッタエンジンの性能を満たすためにＨＤＤの性能が足りないために複数のＨＤＤを搭載している場合、印刷種類、動作条件により出力性能を満たすだけの台数のＨＤＤに電力を供給して消費電力を節約することができる。また、複数のＨＤＤを使用している場合に個別にＨＤＤの電源の制御をするため、エンジン性能以上の性能となるＨＤＤの電源を制御することにより、少ない消費電流で最大の処理性能を得ることが可能になる。
【産業上の利用可能性】
【００２２】
この発明による画像処理装置は、デスクトップパソコン，ノートブックパソコン等のパーソナルコンピュータにおいても適用することができる。
【図面の簡単な説明】
【００２３】
【図１】この発明の実施例１の画像処理装置の機能構成を示すブロック図である。
【図２】この発明の実施例１の画像処理装置における主電源投入時の処理を示すフローチャート図である。
【図３】この発明の実施例２の画像処理装置における主電源投入時の処理を示すフローチャート図である。
【図４】この発明の実施例３の画像処理装置の機能構成を示すブロック図である。
【図５】この発明の実施例３の画像処理装置における主電源投入時の処理を示すフローチャート図である。
【符号の説明】
【００２４】
１，１１：プリンタコントローラ    ２，１２：エンジン制御部    ３，１３：プロッタエンジン    ４，１４−１〜１４−ｎ：ハードディスク装置（ＨＤＤ）    ５，１５：電源部    ６，１６：ハードディスク装置電源制御部（ＨＤＤ電源制御部）
【図１】
2007006098.tif 000003
【図２】
2007006098.tif 000004
【図３】
2007006098.tif 000005
【図４】
2007006098.tif 000006
【図５】
2007006098.tif 000007